(57)【要約】      （修正有）【課題】指輪の装着者にとって、オリジナリティーを有し、かつ装着により安心感を得ることができる指輪を提供する。【解決手段】祈念処理済み指輪セットの製造方法は、融点より高い温度で熱した液体状態の金属材料を、作製する指輪本体の製品形状に模った型部材に倣って流し、金属材料の熱で型部材を溶融することにより、金属材料が製品形状に成形され、冷却により固化した原形状態の指輪本体を形成する鋳造工程１３と、原形状態の指輪本体の表面を仕上げて指輪本体を製品状態にする仕上げ工程１４と、仕上げ工程の後、製品状態の指輪本体と共に祈念処理を実施し、この祈念処理を経ていることを、視認可能な表現で証した祈念証明物を作製する祈念証明物作製工程１５と、祈念証明物を添えて、指輪本体を包装する包装工程１６と、を有する。【選択図】図１
2017169646.tif 000002
【特許請求の範囲】
【請求項１】
融点より高い温度で熱した液体状態の金属材料を、作製する指輪本体の製品形状に模った型部材に倣って流し、前記金属材料の熱で前記型部材を溶融することにより、前記金属材料が前記製品形状に成形され、冷却により固化した原形状態の前記指輪本体を形成する鋳造工程と、
原形状態の前記指輪本体の表面を仕上げて前記指輪本体を製品状態にする仕上げ工程と、
前記仕上げ工程の後、製品状態の前記指輪本体と共に祈念処理を実施し、この祈念処理を経ていることを、視認可能な表現で証した祈念証明物を作製する祈念証明物作製工程と、
前記祈念証明物を添えて、前記指輪本体を包装する包装工程と、を有すること、
を特徴とする祈念処理済み指輪セットの製造方法。
【請求項２】
請求項１に記載する祈念処理済み指輪セットの製造方法において、
前記祈念証明物は、文字、図、写真の少なくともいずれかを用いたスタンプ、またはシールで表現されていること、
を特徴とする祈念処理済み指輪セットの製造方法。
【発明の詳細な説明】
【技術分野】
【０００１】
この発明は指輪の製造方法に関する。詳しくは、結婚指輪、婚約指輪、及び結婚記念に交わされる指輪のほか、男女カップルで交わすファッションリング等、ペアリングを対象とした指輪の製造方法に関する。
【背景技術】
【０００２】
結婚を間近に控えた男女カップルでは、婚約指輪や結婚指輪を交わすことが、慣習的に行われてきている。このような指輪は、男女カップルの幸福を象徴するものでもあり、その目に見える証として、装着者のイニシャルや名前、二人の記念日等の刻印が、指輪に施されることがある。他にも、例えば、特許文献１に、男女二人の誕生石を内輪側に埋め込んだ指輪が開示されている。
【０００３】
他方で、婚約指輪や結婚指輪を求める男女カップルは近年、量産体制により製造された市販の指輪を選択するよりも、世界で一つしかない自分達だけのオリジナル指輪を求める傾向にあり、この傾向は年々、増大してきている。また、このようなオリジナル指輪を扱う店舗は、本出願人を含め、数多く存在する。
【先行技術文献】
【特許文献】
【０００４】
【特許文献１】特開２００２−３３０８０５号公報
【発明の概要】
【発明が解決しようとする課題】
【０００５】
しかしながら、オリジナル指輪を求める男女カップルの間では最近、単に「世界で一つしかない自分達だけの指輪」だけではなく、さらに付加価値を高めて差別化を図った究極のオリジナル指輪の開発を望む声が、本出願人の店舗に寄せられている。特に結婚指輪は、男女カップルの間で永久の愛を誓って交換されるものであるため、男女カップルは、指輪を自らの手で創作した満足感に加え、自分達が見守られているという安心感も得られるような、究極のオリジナル指輪を求めるが、このような究極のオリジナル指輪は存在していなかった。
【０００６】
本発明は、上記問題点を解決するためになされたものであり、指輪の装着者にとって、オリジナリティーを有し、かつ装着により安心感を得ることができる指輪の製造方法を提供することを目的とする。
【課題を解決するための手段】
【０００７】
上記課題を解決するためになされた本発明の一態様である祈念処理済み指輪セットの製造方法は、融点より高い温度で熱した液体状態の金属材料を、作製する指輪本体の製品形状に模った型部材に倣って流し、前記金属材料の熱で前記型部材を溶融することにより、前記金属材料が前記製品形状に成形され、冷却により固化した原形状態の前記指輪本体を形成する鋳造工程と、原形状態の前記指輪本体の表面を仕上げて前記指輪本体を製品状態にする仕上げ工程と、前記仕上げ工程の後、製品状態の前記指輪本体と共に祈念処理を実施し、この祈念処理を経ていることを、視認可能な表現で証した祈念証明物を作製する祈念証明物作製工程と、前記祈念証明物を添えて、前記指輪本体を包装する包装工程と、を有すること、を特徴とする。
【０００８】
この態様によれば、例えば、結婚を間近に控えた男女カップル、結婚記念日を間近に控えた夫婦、ファッションリングを交わす男女カップル等、指輪装着者の間で求められている究極のオリジナル指輪として、指輪の作製を依頼した指輪装着者は、例えば、製品状態の指輪本体をオーダーメイドしたこと等の満足感に加え、祈念処理を実施していることにより、自分達が見守られているという安心感を得ることができる。ひいては、このような指輪装着者は、世界で一つしかない自分達だけの究極の指輪を手に入れることができる。
【０００９】
上記の態様においては、前記祈念証明物は、文字、図、写真の少なくともいずれかを用いたスタンプ、またはシールで表現されていること、が好ましい。
【００１０】
この態様によれば、指輪装着者は、祈念処理の実施を通じて、自分達が見守られているという安心感を、目に見える態様で確認することができる。
【発明の効果】
【００１１】
本発明に係る祈念処理済み指輪セットの製造方法によれば、指輪の装着者にとって、オリジナリティーを有し、かつ装着により安心感を得ることができる。
【図面の簡単な説明】
【００１２】
【図１】本実施形態に係る祈念処理済み指輪セットの製造方法による一連の工程を示す図である。
【図２】図１に示す一連の工程のうち、仕上げ工程を終えた製品状態の指輪本体を示す図である。
【図３】図１に示す一連の工程のうち、祈念証明物作製工程で作製した祈念証明物の一例を示す図である。
【図４】本実施形態に係る祈念処理済み指輪セットに用いられる標章を示す図である。
【図５】図１に示す一連の工程のうち、鋳造工程で用いる型部材を示す図である。
【発明を実施するための形態】
【００１３】
本発明の祈念処理済み指輪セットの製造方法について、実施形態を図面に基づいて詳細に説明する。祈念処理済み指輪は、本実施形態では、結婚を間近に控えた男女カップル（依頼者）より、依頼を受けて作製するオーダーメイドの結婚指輪を対象としている。図１は、本実施形態に係る祈念処理済み指輪セットの製造方法による一連の工程を示す図である。図２は、図１に示す一連の工程のうち、仕上げ工程を終えた製品状態の指輪本体を示し、祈念証明物作製工程で作製した祈念証明物の一例を、図３に示す。図４は、本実施形態の祈祷済み指輪セットに用いられる標章を示す図である。
【００１４】
祈祷済み指輪セット１（本発明の祈念処理済み指輪）は、図２及び図３に示すように、鋳造法により作製された製品状態の指輪本体２Ａ，２Ｂと、祈念証明物３等とからなる。この祈祷済み指輪セット１は、ペアリングである指輪本体２Ａ，２Ｂを図示しない収納ケースに入れた後、この収納ケースを図示しない専用の化粧箱に収めた状態で包装されている。祈祷済み指輪セット１には、図４に示す標章７が、例えば、包装紙、保証書、説明書等の紙面に付されている。
【００１５】
次に、祈祷済み指輪セット１の製造方法について、説明する。図５は、図１に示す一連の工程のうち、鋳造工程で用いる型部材を示す図である。祈祷済み指輪セット１の製造方法は、図１に示すように、大別して、指輪デザイン作製工程１１、型部材作製工程１２、鋳造工程１３、仕上げ工程１４、祈念証明物作製工程１５、及び包装工程１６の６工程からなり、本実施形態では、この順に工程を実施する。なお、祈念証明物作製工程１５は、例えば、包装工程１６より後でも良く、祈念処理が、祈祷済み指輪セット１の製造方法による一連の工程の中で、工程の順番に関係なく、依頼者に引き渡す前に行われていれば良い。
【００１６】
はじめに、依頼者は、オーダーメイドの結婚指輪を取り扱う者（請負者）に、祈祷済み指輪セット１の作製を依頼する。指輪デザイン作製工程１１は、図２に例示するような指輪本体２Ａ，２Ｂのデザインを作製する工程であり、本実施形態では、請負者の工房において、依頼者自身が、指輪本体２Ａ，２Ｂのデザインを考えて決定する。次に、型部材作製工程１２では、依頼者が、指輪デザイン作製工程１１で決定したデザインに基づき、その原形となる形状にワックス（ロウ）を成形することにより、型部材２２Ａ，２２Ｂを作製する。
【００１７】
次に、鋳造工程１３は、周知のロストワックス鋳造法により、原形状態の指輪本体２Ａ，２Ｂを作製する工程である。鋳造工程１３では、型部材２２Ａ，２２Ｂを配置した枠内に液状の石膏を流して固め、その固化した石膏内に、融点より高い温度で熱した液体状態の金属材料（例えば、プラチナ、シルバー、ゴールド等）を、作製する指輪本体２Ａ，２Ｂの製品形状に模った型部材２２Ａ，２２Ｂに倣って流す。そして、この金属材料の熱で型部材２２Ａ，２２Ｂを溶融することにより、製品形状に流動した金属材料が、冷却により固化した原形状態の指輪本体（図示省略）に成形される。
【００１８】
原形状態の指輪本体では、その表面が粗くなっており、溶融した金属材料によるバリ、カエリ等が生じているため、仕上げ工程１４で、原形状態の指輪本体の表面を仕上げることにより、製品状態の指輪本体２Ａ，２Ｂが作製される。
【００１９】
次いで、祈念証明物作製工程１５を行う。祈念証明物作製工程１５では、請負者は、「縁結び」や「男女カップルの絆」等について、男女の縁に御利益があるとされている寺社、神社、教会等の祈念所に、完成した製品状態の指輪本体２Ａ，２Ｂを持ち込む。祈念所では、指輪本体２Ａ，２Ｂの作製を依頼した男女カップルの幸福を願って、ご祈祷等の祈念処理が、この指輪本体２Ａ，２Ｂを添えて行われる。
【００２０】
請負者は、このご祈念を実施済みである証として、本実施形態では、図３に示すように、祈念所に設けられているスタンプ４を、専用の台紙５に押して祈念証明物３を作製する。スタンプ４は、図３に例示したように、祈念所の名称のほか、結婚を間近に控えた男女カップルにとって縁起の良いメッセージを、文字等により表現されている。祈念証明物作製工程１５は、このような祈念処理を経ていることを、視認可能な表現で証した祈念証明物３を作製する工程である。
【００２１】
次に、請負者は、包装工程１６で、祈念証明物３を添えて、指輪本体２Ａ，２Ｂを収納ケースに入れた後、この収納ケースを専用の化粧箱に収めた状態で包装する。かくして、祈祷済み指輪セット１が、依頼者に引き渡される。
【００２２】
本実施形態に係る祈念処理済み指輪セット１の製造方法の作用・効果について、説明する。本実施形態に係る祈念処理済み指輪セット１の製造方法は、融点より高い温度で熱した液体状態の金属材料を、作製する指輪本体２Ａ，２Ｂの製品形状に模った型部材２２Ａ，２２Ｂに倣って流し、金属材料の熱で型部材２２Ａ，２２Ｂを溶融することにより、金属材料が製品形状に成形され、冷却により固化した原形状態の指輪本体を形成する鋳造工程と、原形状態の指輪本体の表面を仕上げて指輪本体２Ａ，２Ｂを製品状態にする仕上げ工程と、仕上げ工程の後、製品状態の指輪本体２Ａ，２Ｂと共に祈念処理を実施し、この祈念処理を経ていることを、視認可能な表現で証した祈念証明物３を作製する祈念証明物作製工程と、祈念証明物３を添えて、指輪本体２Ａ，２Ｂを包装する包装工程と、を有すること、を特徴とする。また、祈念証明物３は、文字を少なくとも用いたスタンプ４で表現されていること、を特徴とする。
【００２３】
この特徴により、結婚を間近に控えた男女カップルの間で求められている究極のオリジナル指輪として、請負者に作製を依頼した男女カップルは、指輪本体２Ａ，２Ｂを自らの手で創作した満足感に加え、祈念処理を実施していることにより、自分達が見守られているという安心感も得ることができる。特に、図３に示すように、祈念所の名称やメッセージが、台紙５に押されたスタンプ４に記してあると、このスタンプ４を見た男女カップルは、祈念処理の実施を通じて、自分達が見守られているという安心感を、目に見える態様で確認することができる。ひいては、このような男女カップルは、世界で一つしかない自分達だけの究極の結婚指輪（指輪本体２Ａ，２Ｂ）を手に入れることができる。
【００２４】
従って、本実施形態に係る祈祷済み指輪セット１の製造方法によれば、指輪本体２Ａ，２Ｂの装着者にとって、オリジナリティーを有し、かつ装着により安心感を得ることができる、という優れた効果を奏する。
【００２５】
なお、上記した実施の形態は単なる例示に過ぎず、本発明を何ら限定するものではなく、その要旨を逸脱しない範囲内で種々の改良、変形が可能であることは勿論である。
例えば、本実施形態では、指輪本体２Ａ，２Ｂを、ロストワックス鋳造法で作製したが、製品状態の指輪本体は、鍛造により作製されたものでも良い。そして、祈念処理済み指輪セットは、鍛造により作製された製品状態の指輪本体と共に祈念処理を実施し、この祈念処理を経ていることを、視認可能な表現で証した祈念証明物を作製した上で、この祈念証明物を添えて、鍛造製の指輪本体を包装されたものであっても良い。
【符号の説明】
【００２６】
１  祈祷済み指輪セット（祈念処理済み指輪セット）
２Ａ，２Ｂ  指輪本体
３  祈念証明物
４  スタンプ
２２Ａ，２２Ｂ  型部材
【図１】
2017169646.tif 000003
【図２】
2017169646.tif 000004
【図３】
2017169646.tif 000005
【図４】
2017169646.tif 000006
【図５】
2017169646.tif 000007